(57)【特許請求の範囲】
【請求項１】
システムであって、
通路空間の１つまたは複数の領域を通して延びるように構成された複数の電力バスウェイを備え、それぞれの領域は前記通路空間の長さの全幅及び分離した限定部に亘り、少なくとも２つの前記電力バスウェイは、分離した主要電源から配電するように構成された主要電力バスウェイを備え、且つ、少なくとも１つの前記電力バスウェイは、少なくとも１つの第２の電源から配電するように構成された第２の電力バスウェイを備え、
前記複数の電力バスウェイは、前記複数の電力バスウェイの１つまたは複数のどれが少なくとも分離したタップボックスを介して電気的負荷の電力インレットに対し置換可能に結合されているかに少なくとも部分的に基づいて、前記通路空間に配置された少なくとも１つの電気的負荷に対して、置換可能に複数の電力サポート冗長性の少なくとも１つを提供するように構成された、システム。
【請求項２】
少なくとも２つの主要電力バスウェイは、前記通路空間を通してずらされた構成で延び、ずらされた構成で延びる前記少なくとも２つの主要電力バスウェイの少なくとも１つは、前記通路空間の全長より短く延び、且つ、他の前記少なくとも２つの主要電力バスウェイの少なくとも１つがない前記通路空間の特定の領域を通して延びる、請求項１に記載のシステム。
【請求項３】
ずらされた構成で延びるように、前記少なくとも２つの主要電力バスウェイの両方が、前記通路空間の共通領域を通して少なくとも部分的に延び、且つ、
前記通路空間に配置された少なくとも１つの電気的負荷に対して複数の電力サポート冗長性の少なくとも１つを置換可能に提供するように、前記少なくとも２つの主要電力バスウェイが、前記通路空間の前記共通領域における電気的負荷に対して主要電力サポート冗長性を提供するように構成された、請求項２に記載のシステム。
【請求項４】
前記通路空間の前記共通領域が、前記通路空間の中央領域を通して延び、前記少なくとも２つの主要電力バスウェイのそれぞれが、前記通路空間の前記中央領域から前記通路空間の対向する端部に向かって外方に延びる前記通路空間の分離した特定の領域を通して、少なくとも部分的に且つ互いに独立して延びる、請求項３に記載のシステム。
【請求項５】
前記主要電力バスウェイのそれぞれは、他の主要電力バスウェイとは独立して前記主要電力バスウェイのそれぞれが通って延びるそれぞれの領域に配置された電気的負荷に対して独占的な主要電力サポートを提供するように構成され、
前記第２の電力バスウェイは、前記通路空間の分離したそれぞれの領域に配置され且つ前記分離したそれぞれの領域を通して独占的に延びる分離した主要電力バスウェイから主要電力サポートを受ける電気的負荷に対して第２の電力サポートを提供するように構成された、請求項４に記載のシステム。
【請求項６】
前記通路空間の前記共通領域における電気的負荷に対して主要電力サポート冗長性を置換可能に提供するように、前記複数の電力バスウェイが、少なくとも２つの前記主要電力バスウェイのそれぞれに対して可逆的に結合されたそれぞれのタップボックスを介して特定のラックコンピュータシステムと可逆的に電気的に結合するように構成された、請求項３から５のいずれか１項に記載のシステム。
【請求項７】
前記通路空間に配置された少なくとも１つの電気的負荷に対して複数の電力サポート冗長性の少なくとも１つを置換可能に提供するように、前記複数の電力バスウェイのそれぞれが、前記分離したタップボックスの分離した１つとそれぞれ結合された分離した電力ケーブルを介して１つまたは複数の電気的負荷と電気的に結合するように構成され、且つ、特定の領域に配置された前記電気的負荷が少なくとも他の前記電力バスウェイとの電気的な結合を制限されるように、少なくとも１つの他の前記複数の電力バスウェイとは独立して前記電力バスウェイが通って延びる前記通路空間の前記特定の領域のサイズに対応する限定された長さをそれぞれ有する、請求項１から６のいずれか１項に記載のシステム。
【請求項８】
前記通路空間に配置された少なくとも１つの電気的負荷に対して複数の電力サポート冗長性の少なくとも１つを置換可能に提供するように、少なくとも２つの前記主要電力バスウェイ及び第２の電力バスウェイが、前記複数の電力バスウェイのそれぞれを通した配電を維持しつつ、前記少なくとも１つの電気的負荷に対するタップボックスが前記複数の電力バスウェイの１つから分離され且つ他の前記複数の電力バスウェイに対して結合されるのを可能とするように構成された、請求項１から７のいずれか１項に記載のシステム。
【請求項９】
前記第２の電力バスウェイは、前記第２の電力バスウェイが複数の分離した第２の電源の少なくとも１つから受けた第２の電力を選択的に配電するように構成されるように、前記第２の電力バスウェイに対する分離した電力入力を介して前記複数の分離した第２の電源に対して電気的に結合された、請求項１から８のいずれか１項に記載のシステム。
【請求項１０】
前記通路空間に配置された前記少なくとも１つの電気的負荷が、分岐回路を介して複数の電源の１つから前記通路空間に配置された少なくとも１つのラックコンピュータシステムへと選択的に送電するように構成された切替装置組立体を備え、
前記複数の電力バスウェイの少なくとも１つを前記切替装置組立体と電気的に結合する前記タップボックスのそれぞれが、前記電力バスウェイのそれぞれと結合される分離した電力接続遮断ボックスを備え、
前記通路空間に配置された電気的負荷の少なくとも１つに対して複数の電力サポート冗長性の少なくとも１つを置換可能に提供するように、前記複数の電力バスウェイは、前記切替装置組立体と前記ラックコンピュータシステムとの間の前記分岐回路を維持しつつ、前記複数の電力バスウェイの１つを前記切替装置組立体と電気的に結合する電力接続遮断ボックスが前記複数の電力バスウェイの１つから分離され且つ他の前記複数の電力バスウェイに対して結合されるのを可能とするように構成された、請求項１から９のいずれか１項に記載のシステム。
【請求項１１】
通路空間に配置された複数の電気的負荷の１つまたは複数に対して複数の電力サポート冗長性の１つまたは複数を置換可能に提供するように前記通路空間を構成することを含む方法であって、前記通路空間を構成することが、
通路空間の１つまたは複数の領域を通して延びるように、少なくとも２つの主要電力バスウェイと少なくとも１つの第２の電力バスウェイからなる複数の電力バスウェイのうちの、前記少なくとも２つの主要電力バスウェイを搭載することであって、それぞれの領域が前記通路空間の長さの全幅及び分離した限定部に亘り、前記少なくとも２つの主要電力バスウェイのそれぞれが分離した主要電源から配電するように構成された、前記少なくとも２つの主要電力バスウェイを搭載することと、
第２の電源から配電するように構成された、前記通路空間の全長を通して延びるように、前記複数の電力バスウェイのうちの、前記少なくとも１つの第２の電力バスウェイを搭載することと、
前記複数の電力バスウェイの１つまたは複数を１つまたは複数の電力ケーブルを介して１つまたは複数の前記電気的負荷に対し電気的に結合することであって、前記複数の電力サポート冗長性のどれが１つまたは複数の前記電気的負荷に対して提供されるかは、前記複数の電力バスウェイの１つまたは複数のどれが前記１つまたは複数の前記電気的負荷に対して電気的に結合されるかに、少なくとも部分的に基づいて、電気的に結合することと、を含む、方法。
【請求項１２】
前記通路空間の１つまたは複数の領域を通して延びるように、前記複数の電力バスウェイのうちの、前記少なくとも２つの主要電力バスウェイを搭載することは、
前記通路空間の長さを通してずらされた構成で延びるように前記少なくとも２つの主要電力バスウェイを搭載することを含み、ずらされた構成で延びる前記少なくとも２つの主要電力バスウェイの少なくとも１つが、前記通路空間の全長よりも短く延び、且つ、他の前記少なくとも２つの主要電力バスウェイの少なくとも１つが無い前記通路空間の特定の領域を通して延びる、請求項１１に記載の方法。
【請求項１３】
前記通路空間の長さを通るずらされた構成で延びるように前記少なくとも２つの主要電力バスウェイを搭載することが、前記通路空間の共通領域を通して少なくとも部分的に延びるように前記少なくとも２つの主要電力バスウェイを搭載することを含み、
前記１つまたは複数の電力ケーブルを介して１つまたは複数の前記電気的負荷に対し前記複数の電力バスウェイの１つまたは複数を電気的に結合することが、前記電気的負荷に対して主要電力サポート冗長性を提供するように、分離した電力ケーブルを介して前記通路空間の共通領域に配置された電気的負荷に対し前記少なくとも２つの主要電力バスウェイのそれぞれを電気的に結合することを含む、請求項１２に記載の方法。
【請求項１４】
前記通路空間の全長を通して延びるように少なくとも１つの第２の電力バスウェイを搭載することが、第２の電源から、特定の１つの前記少なくとも２つの主要電力バスウェイから主要電力を受ける前記通路空間の１つの領域に配置された電気的負荷へと配電し、且つ、前記第２の電源から、他の前記少なくとも２つの主要電力バスウェイの１つから主要電力を受ける前記通路空間の他の領域に配置された他の電気的負荷へとさらに配電するように前記少なくとも１つの第２の電力バスウェイを搭載することを含む、請求項１１から１３のいずれか１項に記載の方法。
【請求項１５】
前記第２の電力バスウェイは、前記第２の電力バスウェイが複数の分離した前記第２の電源の少なくとも１つから受けた電力を選択的に配電するように構成されるように、前記第２の電力バスウェイに対する分離した電力入力を介して複数の分離した前記第２の電源に対し電気的に結合された、請求項１４に記載の方法。
【発明の詳細な説明】
【背景技術】
【０００１】
オンライン小売業、インターネットサービスプロバイダ、検索プロバイダ、金融機関、大学、及び他のコンピュータが集中する組織のような組織は、大規模コンピューティング施設からコンピュータ操作を実行することがよくある。こうしたコンピューティング施設は、組織の操作を実行する必要に応じてデータを処理、記憶及び交換するための大量のサーバー、ネットワーク及びコンピュータ設備を収納及び収容する。概して、コンピューティング施設のコンピュータ室は、サーバーラックを含み得る多くのコンピューティングラックを含む。それぞれのコンピューティングラックは、同様に、コンピュータ設備等と関連した多くのコンピュータシステム、サーバーを含んでも良い。コンピューティング施設のコンピュータ室が大量のサーバーを含み得るため、施設を操作するのに大量の電力が必要とされ得る。さらに、電力は、コンピュータ室を通して広がる多数の位置（たとえば、互いに離間された多くのラック及びそれぞれのラックにおける多くのサーバー）へと分配される。通常、施設は、比較的高電圧で電力供給を受ける。この電力供給は、より低い電圧（たとえば、２０８Ｖ）へとステップダウンされる。施設内の多くの特定の構成要素へのより低い電圧における送電のため、ケーブル、バスバー、電力コネクタ、及び配電ユニットのネットワークが使用される。
【０００２】
任意の所定のデータセンターのために必要とされるコンピューティング能力の量は、ビジネスが指示を必要としたときに急速に変化し得る。ほとんどの場合、位置における向上されたコンピューティング能力の必要が存在する。データセンターにおいて最初に提供するコンピューティング能力、または、データセンターの拡張する従来の能力（たとえば付加的サーバーの形式）は、リソース集約的であり、実行するのに多くの月日がかかる。データセンターの設計及び構築（またはその拡張）、ケーブルの配置、ラック、筐体、及びそこからの排熱の除去を実行するための冷却システムの設置のため相当な時間及びリソースが概して必要とされる。電気的及びＨＶＡＣシステム等のための検査を実行し、認証及び認可を得るために付加的な時間及びリソースが概して必要とされる。
【０００３】
いくつかのデータセンターは、ＰＤＵレベルにおける冗長性を有しない。こうしたデータセンターは、電力システムにおけるＵＰＳまたはＰＤＵの故障が生じたときに大きく影響される区域を有し得る。さらに、いくつかのデータセンターは、フロアに対する電源を介した「一本線の」配電を有し、構成要素が停止したときの保守のみが実行され得る。データセンターにおける主要電力システムの保守及び再構成と関連した故障時間は、コンピューティングリソースにおける顕著な損失となり得る。病院の設備及び安全システムのようないくつかの重要なシステムにおいて、故障時間は重大な中断となるかもしれず、ある場合において、健康及び安全に悪影響を与える。
【０００４】
いくつかのシステムは、コンピューティング設備のために冗長性の電力サポートを提供する二重の電力システムを含む。いくつかのシステムにおいて、自動転送スイッチ（「ＡＴＳ」）は、主要電力システムから第２の（たとえばバックアップ）電力システムへの切り替えを提供する。従来のシステムにおいて、自動転送スイッチは、主要電力における故障の検出に基づいてコンピューティングラックを第２のシステムへと自動的に切り替える。コンピューティング設備を連続的な操作において維持させるため、自動転送スイッチは、第２の電力システムへと急速に（たとえば、おおよそ１６ミリ秒以内に）転送することを必要とし得る。
【０００５】
いくつかのデータセンターは、主要電力システムにおける構成要素またはシステムの故障の場合にサーバーに対してバックアップ電力を提供するための、バックアップ構成要素及びシステムを含む。いくつかのデータセンターにおいて、主要電力システムは、電力システムの全てのレベルにおいて完全に冗長性の、それ自体のバックアップシステムを有しても良い。主要及び完全に冗長性のバックアップシステムによりサポートされるシステム及び構成要素のための冗長性のこうしたレベルは、「２Ｎ」冗長性と称されても良い。たとえば複数のサーバー室を有するデータセンターにおいて、１つまたは複数のサーバーラックが主要電力システム及び完全に冗長性のバックアップ電力システムから電力サポートを受けても良い。それぞれのサーバー室のためのバックアップシステムは、そのサーバー室のための主要電力システムにおける対応する配電盤、無停電電源装置、及びフロア配電ユニットを反映する（ｍｉｒｒｏｒｓ）配電盤、無停電電源装置（ＵＰＳ）、及びフロア配電ユニット（ＰＤＵ）を有しても良い。しかしながら、主要電力システムの完全な冗長性の提供は、資本コストに関して（例えば多くの高価な配電盤、ＵＰＳ及びＰＤＵの要求において）及び操作及び保守のコストに関して、かなり高コストとなり得る。さらに、主要コンピュータシステムに関し、サーバーのための連続的電源を確実とするために主要システムからバックアップシステムへと構成要素を切り替えるのに特別な手順が必要とされるかもしれず、さらに保守コストを増す。結果として、いくつかのデータセンターは、主要電力システムのため完全な冗長性より劣るバックアップシステムを含んでも良い。主要及び完全に冗長性のバックアップシステムによってサポートされるシステム及び構成要素のための冗長性のこうしたレベルは、「Ｎ＋１」冗長性と称されても良い。Ｎ＋１冗長性は、コンピューティング設備のために完全に冗長性の蓄電サポートを提供し得ないが、こうした冗長性は、より低減された資本コスト及び操作コストを含み得る。
【０００６】
いくつかのシステムは、コンピューティング設備の組の上流のサーバーの間の切り替えとは独立してコンピューティング設備の組に対して電力を同時に提供する１つまたは複数の電力システムを含む。こうしたシステムは、コンピューティングユニットのために１Ｎ冗長性、２Ｎ冗長性等を提供しても良い。
【０００７】
いくつかのデータセンターにおいて、いくつかのコンピューティング設備の組が様々な形式の冗長性の電力サポートのために構成されても良い。たとえば、重要なタスクのため構成されたサーバーを有するいくつかのサーバーラックは、２Ｎ蓄電サポートを受けても良く、いくつかのサーバーラックは、Ｎ＋１蓄電サポートを受けても良く、いくつかのサーバーラックは、上流の転送スイッチとは独立して１つまたは複数の分離した電力供給からの並列電源を受けても良い。特定の電力システムからのサポートを備えた特定の形式の電力冗長性のためのそれぞれのラックの構成は、所定のサーバーラックのために所定の電力サポート冗長性を確立するようにそれぞれの構成が特定の上流のシステム及び構成要素の特定の構成を要求し得るため、高コストとなり得るものであり、且つ時間を浪費し得る。
【０００８】
結果として、様々な電源から様々なデータセンターにおけるコンピューティング設備の組に対する様々な電力サポート冗長性の提供は、こうした冗長性を提供するために使用されたそれぞれの特定の電力システムからの各特定の電力サポート冗長性形式のための特定のシステム及び構成要素を提供するために、時間、リソース、及びデータセンターフロア空間、壁空間等の過度の浪費を要し得る。さらに、所定の冗長性を提供するために要求される特定のシステム及び構成要素及びその構成のため、コンピューティング設備の特定の組のための電力サポート冗長性の変更は、こうした変化がこうした冗長性の提供に特化した様々なシステム及び構成要素構成の再構成、付加、除去等を必要とし得るため、時間を浪費させ且つ高価となり得る。こうした変更は、データセンターにおける様々なシステム及び構成要素のこうした再構成が一時的に関係ないシステム及び構成要素をオフラインとすることを必要とし得るため、特定のシステム及び構成要素の変更を実行するための延ばされたコンピューティングユニット停止時間をさらに必要とし、これによりコストを悪化させる。
【図面の簡単な説明】
【０００９】
【図１】いくつかの実施形態による、電力経路組立体を介して様々なラックコンピュータシステムに対しバスウェイシステムにおける様々なバスウェイが様々な電力サポート冗長性を提供するコンピューティング室の斜視図を概略的に示す。
【図２】いくつかの実施形態による、様々なラックコンピュータシステムに対して電力サポート冗長性を提供する全長のバスウェイシステムを有するデータセンターコンピューティング室を示す概略図である。
【図３】いくつかの実施形態による、様々なラックコンピュータシステムに対して主要電力サポート冗長性を提供する全長のバスウェイシステムを有するデータセンターコンピューティング室を示す概略図である。
【図４】いくつかの実施形態による、様々なラックコンピュータシステムに対して維持可能な第２の電力サポート冗長性を同時に提供するずらされたバスウェイシステムを有するデータセンターコンピューティング室を示す概略図である。
【図５】いくつかの実施形態による、様々なバスウェイから様々なラックコンピュータシステムへと送電する電力経路組立体を示す概略図である。
【図６】いくつかの実施形態によるコンピューティング室の正面図を示す概略図であり、バスウェイシステムが搭載され、様々な電力サポート冗長性を提供するために電力経路組立体が多相電力バス配列の様々な電力バスバーに対して結合される。
【図７】いくつかの実施形態による、通路空間における電気的負荷に対して様々な電力サポート冗長性を提供するためのバスウェイシステムの構成を示す。
【発明を実施するための形態】
【００１０】
本発明は様々な変形及び別の形式を取るが、その特定の実施形態が図中の例示により示され、本明細書において詳細に説明される。しかし、当然のことながら、図面及びこれに対する詳細な説明は、本発明を開示される特定の形式に限定することを意図するものではなく、むしろ、本発明は、添付の特許請求の範囲により定義されるような本発明の範囲内の全ての変形、均等のもの及び選択肢を包含する。本明細書において使用される見出しは、構成的目的にすぎず、明細書または特許請求の範囲の範囲を限定するために使用されることを意味するものではない。本願を通して使用されるように、「ｍａｙ」という語は、強制的なセンス（すなわち、しなければならないという意味）というよりはむしろ、許容的なセンスにおいて使用される（すなわち、可能性を有する意味）。同様に、「ｉｎｃｌｕｄｅ」、「ｉｎｃｌｕｄｉｎｇ」、「ｉｎｃｌｕｄｅｓ」という語は、含むことを意味するが、これに限定されるものではない。
【００１１】
データセンターにおけるコンピュータシステムに対して構成可能な電力サポート冗長性を提供するためのバスウェイシステムの様々な実施形態が開示される。１つの実施形態によれば、データセンターは、通路空間、通路空間を通して延びるラックコンピュータシステムの列、及び、通路空間を通して延びる高められた主要電力バスウェイ及び第２の電力バスウェイを含む。主要電力バスウェイは、通路空間を通してラックコンピュータシステムの列と平行にずらされた構成で延び、それぞれの主要電力バスウェイは、通路空間の全長よりも短く延び、且つ、これを通して少なくとも１つの他の主要電力バスが延びない通路の少なくとも１つの領域を通して延びる。第２の電力バスウェイは、通路空間全体を通して延びる。バスウェイは、ラックコンピュータシステムに対して特定の電力サポート冗長性を提供するため、分離したバスウェイのいくつかに結合された分離した電力ケーブルを介してラックコンピュータシステムに対して電気的に結合できる。ラックコンピュータシステムに対して提供される電力サポート冗長性を変えるため、ケーブルはバスウェイから分離され、他のバスウェイに対して再結合されることができ、または、ラックは、いくつかのバスウェイから延びるケーブルから分離され、他のバスウェイから延びるケーブルに対して再結合されることができる。ラックコンピュータシステムが切替装置組立体から電力を受けるところにおいて、バスウェイは、切替装置組立体に対して結合でき、電力が分岐回路を介して切替装置組立体からラックコンピュータシステムへと分散され得る。分岐回路は、切替装置組立体に対して提供される電力サポート冗長性が変更されたとしても維持され得る。
【００１２】
１つの実施形態によれば、システムは、通路空間を通して延びる電力バスウェイを含み、バスウェイは、バスウェイのどの選択が分離した電力ケーブルを介して電気的負荷に対して結合されたかによって、通路空間における１つまたは複数の電気的負荷に対して複合的な様々な電力サポート冗長性の１つを置換可能に提供する。バスウェイは、分離した主要電源から配電する少なくとも２つの主要電力バスウェイと、第２の電源から配電する第２の電力バスウェイと、を含む。
【００１３】
１つの実施形態によれば、方法は、通路空間に配置された様々な電気的負荷に対して置換可能に様々な電力サポート冗長性を提供するために通路空間を構成することを含む。様々な電力サポート冗長性が様々な電力バスウェイを介して提供され、構成は、通路空間においてバスウェイを搭載することと、電気的に１つまたは複数のバスウェイを１つまたは複数の電力ケーブルを介して電気的負荷に対して連結することを含み、どのバスウェイが負荷に対して結合されたかによってその電力サポート冗長性が提供される。バスウェイは、通路空間の部分を通して延びるようにそれぞれ搭載された２またはそれ以上の主要電力バスウェイと、通路空間全体を通して延びる第２の電力バスウェイと、を含む。主要電力バスウェイは、分離した主要電源からそれぞれ配電し、第２の電力バスウェイは、第２の電源から配電する。
【００１４】
本明細書において使用されるように、「コンピュータ室」は、ラックに取り付けられたサーバーのようなコンピュータシステムが操作される、ビルの部屋を意味する。
【００１５】
本明細書において使用されるように、「データセンター」は、コンピュータ操作が実行される任意の設備または設備の部分を含む。データセンターは、特定の機能専用のまたは複数の機能を提供するサーバーを含んでも良い。コンピュータ操作の例は、情報処理、通信、シミュレーション及び操作的制御を含む。
【００１６】
本明細書において使用されるように、「操作電力」は、１つまたは複数のコンピュータシステムの構成要素によって使用され得る電力を意味する。操作電力は、配電ユニットまたは配電ユニットから下流の要素にステップダウンされても良い。たとえば、サーバー電源は、操作電圧をステップダウンしても良い（且つ交流電流から直流電流へと整流しても良い）。
【００１７】
本明細書において使用されるように、電力「サポート」を提供することは、１つまたは複数の電気的負荷を含む１つまたは複数の下流システム及び構成要素に使用可能となるように１つまたは複数の電力供給を提供することに関する。このような提供された電力供給は、システム及び構成要素によって受けるのを防がれても良いが、少なくとも部分的にシステム及び構成要素の上流の１つまたは複数の構成要素の位置に基づいて受けるのを可能とされても良い。たとえば、蓄電システムは、蓄電システムの下流及び負荷の上流の転送スイッチによって選択的に送られ得る蓄電供給を提供することによって電気的負荷に対して蓄電サポートを提供しても良く、転送スイッチは、少なくとも部分的に主要電力供給と関連した１つまたは複数の状態に基づいて、負荷に対して蓄電供給または主要電力供給を選択的に送っても良い。
【００１８】
本明細書において使用されるように、本明細書において「ＰＤＵ」とも称される「配電ユニット」は、電力を分配するために使用され得る任意の装置、モジュール、構成要素、またはこれらの組み合わせを意味する。配電ユニットの要素は、（共通の筐体内に収容された変圧器及びラック配電ユニットのように）単一の構成要素または組立体内に組み込まれても良く、あるいは、（それぞれ分離した筐体内に収容された変圧器及びラック配電ユニット、及び関連したケーブルのように）２つまたはそれ以上の構成要素または組立体内に分散されても良い。
【００１９】
本明細書において使用されるように、「主要電力」は、たとえば通常の操作状態の間電気的負荷に対して供給され得る任意の電力（ｐｏｗｅｒ）を意味する。主要電力を分配する配電システム（本明細書において「電力システム」とも称される）は、主要電力システムと称されても良い。
【００２０】
本明細書において使用されるように、「フロア配電ユニット」は、コンピュータ室内の様々な構成要素に対して配電できる配電ユニットに関する。特定の実施形態において、配電ユニットは、ｋレートの（ｋ−ｒａｔｅｄ）変圧器を含む。配電ユニットは、キャビネットのような筐体内に収容されても良い。
【００２１】
本明細書において使用されるように、「ラック配電ユニット」は、ラック内の様々な構成要素に対する配電のため使用され得る配電ユニットに関する。ラック配電はワイヤー、バスバー、コネクタ及び回路遮断器を含む様々な構成要素及び要素を含んでも良い。
【００２２】
本明細書において使用されるように、「蓄電」は、負荷に対する主要電力の故障時にまたは代用として電気的負荷に対して供給され得る電力を意味する。蓄電を分配する配電システム（本明細書において「電力システム」とも称される）は、蓄電システムと称されても良い。
【００２３】
本明細書において使用されるように、「コンピュータシステム」は、任意の様々なコンピュータシステムまたはその構成要素を含む。コンピュータシステムの一例は、ラックに取り付けられたサーバーである。本明細書において使用されるように、コンピュータという語は、単に技術的にコンピュータと称される集積回路に限定されるものではなく、広く、プロセッサ、サーバー、マイクロコントローラ、マイクロコンピュータ、プログラマブルロジックコントローラ（ＰＬＣ）、特定用途向け集積回路、及び、他のプログラム可能な回路に関し、これらの語は、本明細書において置換可能に使用される。様々な実施形態において、限定されるものではないが、メモリは、ランダムアクセスメモリ（ＲＡＭ）のようなコンピュータ可読媒体を含んでも良い。あるいは、コンパクトディスク−リードオンリーメモリ（ＣＤ−ＲＯＭ）、光磁気ディスク（ＭＯＤ）、及び／またはデジタル多用途ディスク（ＤＶＤ）が使用されても良い。さらに、付加的な入力チャンネルはマウス及びキーボードのような操作者のインタフェースと関連したコンピュータ周辺機器を含んでも良い。なお、たとえばスキャナを含み得る他のコンピュータ周辺機器が使用されても良い。さらに、いくつかの実施形態において、付加的な出力チャンネルは操作者のインタフェースモニター及び／またはプリンターを含んでも良い。
【００２４】
様々な実施形態において、バスウェイシステムは、コンピュータ室内に搭載されることができ、バスウェイシステムは、複数の様々な電力サポート冗長性がコンピュータ室内の様々なラックコンピュータシステムに対して提供されることを可能とし、電力サポート冗長性は、バスウェイ及び他のラックコンピュータシステムが電力遮断される必要なく様々なラックコンピュータシステムのために変更されることができる。さらに、バスウェイシステムのいくつかの実施形態は、特定のバスウェイが結合し得るそのラックコンピュータシステムを物理的に制限することによって、コンピュータ室におけるバスウェイシステムの負荷平衡化を可能とする。
【００２５】
図１は、バスウェイシステムにおける様々なバスウェイがいくつかの実施形態による電力経路組立体を介して様々なラックコンピュータシステムに対して様々な電力サポート冗長性を提供するコンピューティング室の斜視図を概略的に示す。
【００２６】
コンピュータ室１００は、ラックコンピュータシステムの２つの列１０２Ａ、１０２Ｂが通って延び且つバスウェイ１２０Ａ〜１２０Ｃのシステムが通って延びる通路空間１０１を含む。それぞれの列１０２Ａ、１０２Ｂは、様々なラックコンピュータシステム１０４Ａ、１０４Ｂを含む。ラックコンピュータシステム１０４は、様々な電気的負荷要求をそれぞれ有しても良い。いくつかの実施形態において、ラックコンピュータシステム１０４は、１つまたは複数の電力バスウェイから様々なラックコンピュータシステムへと配電する上流の構成要素から電力を受ける。こうした上流の構成要素は、フロア配電ユニット、切替装置組立体を含む配電ユニットを含むことができ、これは１つまたは複数の自動転送スイッチ（ＡＴＳ）が搭載されたキャビネットを含むことができ、１つまたは複数のバスウェイから様々なラックコンピュータシステムへと配電できる。
【００２７】
図示された実施形態において、それぞれの列１０２Ａ、１０２Ｂは、様々なラックコンピュータシステムの組１０８を含み、それぞれの組１０８は、分岐回路１１４を介して列１０２における様々なＡＴＳキャビネット１０６Ａ〜１０６Ｆの１つからそれぞれが電力を受けるラックコンピュータシステム１０４の選択を含み、各ＡＴＳキャビネット１０６は、電力インレット１０７において電力ケーブル１０９及びタップボックス１５０を介して１つまたは複数のバスウェイ１２０に対して結合される。
【００２８】
タップボックス１５０は、バスウェイに対して結合し且つＡＴＳキャビネット１０６をバスウェイ１２０に対して電気的に結合するように電力ケーブル１０９が結合できる受容器を含む１つまたは複数の受容タップボックスを含むことができる。いくつかの実施形態において、タップボックス１５０は、回路遮断器を含み得る１つまたは複数の接続遮断ボックスを含むことができ、電力ケーブル１０９を介してラックコンピュータシステムに対して直接的にバスウェイを結合することができる。
【００２９】
バスウェイ１２０Ａ〜１２０Ｃは、通路空間１０１を通して延び、室１００内のラックコンピュータシステム１０４に対して様々な電力サポート冗長性を提供する。バスウェイ１２０は、主要電力バスウェイ１２０Ａ、１２０Ｂと、第２の電力バスウェイ１２０Ｃと、を含む。主要電力バスウェイ１２０Ａ、１２０Ｂのそれぞれは、いくつかの実施形態において、分離した主要電源から電力を受け且つ運び、第２の電力バスウェイ１２０Ｃは、第２の電源から電力を受け且つ運ぶことができる。いくつかの実施形態において、第２の電源は、蓄電源を含む。各バスウェイは、各入力１３０Ａ〜１３０Ｃにおいて外部の位置から室１００に入り得る各送電線１４０Ａ〜１４０Ｃを介して各電源からそれぞれの電力供給を受けても良い。
【００３０】
いくつかの実施形態において、１つまたは複数のラックコンピュータシステム１０４Ａ、１０４Ｂ、ＡＴＳキャビネット１０６Ａ、１０６Ｂ等は、１つまたは複数の電源から電力サポートを受けるように通路空間を通して延びる１つまたは複数のバスウェイ１２０と結合できる。電力サポートの構成は、電力サポート冗長性と称され得る。いくつかの実施形態において、ラックコンピュータシステムは、ケーブル１０９、ボックス１５０等を介して単一の電源等から電力を運ぶ単一のバスウェイ１２０、複数のバスウェイ１２０に対して電気的に結合され、こうしたラックコンピュータシステムは、「Ｎ」電力サポート冗長性を有すると称されても良い。いくつかの実施形態において、ラックコンピュータシステムは、分離した主要電源等から電力を運ぶ分離した主要電力バスウェイに対して電気的に結合される。こうしたラックコンピュータシステムは、「２Ｎ」電力サポート冗長性を有すると称されても良い。図示された実施形態において、ＡＴＳキャビネット１０６Ｂ、１０６Ｄは、分離したケーブル１０９及びボックス１５０を介して分離した主要電力バスウェイ１２０Ａ、１２０Ｂに対して結合され、これによりＡＴＳキャビネット１０６Ｂ、１０６Ｄは、２つの主要電源の一方から、ＡＴＳキャビネット１０６Ｂ、１０６Ｄが分岐回路１１４Ａ、１１４Ｂを介してそれぞれ結合されるラックコンピュータシステム１０４Ａ、１０４Ｂへと、選択的に電力を送る。
【００３１】
いくつかの実施形態において、通路空間１０１を通して延びるバスウェイシステムにおける様々なバスウェイ１２０Ａ〜１２０Ｃは、通路空間の様々な領域を通して延びるように構成され得る。図示された実施形態を含むいくつかの実施形態において、通路空間の「領域」は、通路空間の全長のいくらかまたは全てに広がる通路空間の長さの限定された部分を含み、通路空間の長さに沿って延びる少なくとも１つの電気的負荷を含む。たとえば、図示された実施形態において、通路空間１０１は、領域１１０Ａ〜１１０Ｃを含む。バスウェイのいくつかは、「ずらされた」構成で通路空間１０１を通して延びることができ、いくつかのバスウェイは、通路空間の領域を通して延び、他のバスウェイはそうではない。こうしたバスウェイは、通路空間の全長より短い長さを通して延びることができ、ずらされた構成の部分として延びるバスウェイは、別のバスウェイが通って延びない通路空間の少なくとも１つの領域を通して延びることができる。
【００３２】
いくつかの実施形態において、ずらされた構成において延びるバスウェイは、これに関し特定の電力サポート冗長性がコンピュータ室内の様々なラックコンピュータシステムに対して提供され得る物理的制限を提供することができる。こうした制限は、部屋の特定の領域におけるラックコンピュータシステムがその領域を通して延びないバスウェイからではなく、その領域を通して延びる特定のバスウェイから電力を受けるように制限することによって、様々なバスウェイに亘る負荷平衡化を可能とし得る。
【００３３】
図示された実施形態において、たとえば、バスウェイ１２０Ａ、１２０Ｂは、通路空間１０１を通るずらされた構成で延び、バスウェイ１２０Ａは、領域１１０Ａを通して延びるがバスウェイ１２０Ｂは領域１１０Ａを通して延びず、一方でバスウェイ１２０Ｂは、領域１２０Ｂを通して延びるが、バスウェイ１２０Ａは、領域１２０Ｂを通して延びない。結果として、図示された実施形態において示されるように、領域１１０Ａにおいて配置されたＡＴＳキャビネット１０６Ａ及び１０６Ｆは、バスウェイ１１０Ａに対して電力を供給する特定の主要電源１４０Ａ及びバスウェイ１２０Ｃを通して第２の電源１４０Ｃから電力サポート冗長性を受けるように、領域１１０Ａを通して延びるバスウェイ１２０Ａ、１２０Ｃに対して結合する。一方、領域１１０Ｂに配置されたキャビネット１０６Ｂ及び１０６Ｄは、バスウェイ１１０Ｂに対して電力を供給する他の特定の主要電源１４０Ｂ及びバスウェイ１２０Ｃを通して第２の電源１４０Ｃから電力サポート冗長性を受けるように、領域１１０Ｂを通して延びるバスウェイ１２０Ｂ、１２０Ｃに対して結合する。結果として、列１０２Ａ、１０２Ｂにおける主要電力の電気的負荷は、負荷または負荷に対して分電する上流の構成要素が配置された領域に基づいて、バスウェイ１２０Ａ、１２０Ｂの間で平衡化され得る。いくつかの実施形態において、第２の電力バスウェイ１２０Ｃは、通路空間１０１の全体を通して延び、通路空間１０１における位置にかかわらず、ラックコンピュータシステムに対して第２の電力サポートを提供することができる。
【００３４】
いくつかの実施形態において、ずらされたバスウェイの間の負荷平衡化は、負荷に対してバスウェイを電気的に結合する電力ケーブル１０９を介して実行される。ケーブルは、負荷が配置される通路空間の領域を通して延びないバスウェイに対して負荷が結合されるのを防ぐように寸法化されることができ、これにより、負荷を同じ領域を通して延びるバスウェイに対して結合させる。こうした制限または「インターロック」は、１つまたは複数の主要電力バスウェイが通路空間において不均衡にする量の負荷をサポートするのを防ぐことができ、所定の主要電源、バスウェイ、ＡＴＳキャビネット等の故障によって影響されるコンピュータ室における負荷の数を緩和することができる。
【００３５】
いくつかの実施形態において、通路空間１０１は、ずらされた構成で延びる複数のバスウェイ１２０Ａ、１２０Ｂがさらに延びる「共通領域１１０Ｃ」を含む。ずらされたバスウェイが同じ領域を通して延びて「重なる」こうした領域は、ラックコンピュータシステム、ＡＴＳキャビネット等が複数のずらされたバスウェイと結合され得る領域となり得る。たとえば、図示された実施形態において、バスウェイ１２０Ａ、１２０Ｂはずらされ、共通領域１１０Ｃを通して共に延び、共通領域１１０Ｃに配置されたＡＴＳキャビネット１０６Ｃ、１０６Ｅは、共通領域１１０Ｃにおいてずらされたバスウェイ１２０Ａ、１２０Ｂの両方と結合でき、分岐回路を介してバスウェイの１つからラックコンピュータシステム１０４Ａ、１０４Ｂへと選択的に電力を送ることができる。バスウェイ１２０Ａ、１２０Ｂが共に主要電力を運ぶとき、共通領域１１０ＣにおいてＡＴＳキャビネット１０６Ｃまたは１０６Ｅの１つまたは複数と連結されたラックコンピュータシステム１０４を含む共通領域１１０Ｃにおけるラックコンピュータシステムは、２Ｎ電力サポート冗長性を受けることができる。
【００３６】
図２は、いくつかの実施形態による様々なラックコンピュータシステムに対して電力サポート冗長性を提供するバスウェイシステムの全長を有するデータセンターコンピューティング室を示す概略図である。データセンター２００は、通路空間２０２、通路空間２０２の全長を通して延びるバスウェイ２２０Ａ〜２２０Ｃ、及び、通路空間２０２の長さを通してバスウェイと平行に延びる電気的負荷の２つの列２１０Ａ、２１０Ｂを備えたコンピュータ室２０１を含む。各バスウェイ２２０Ａ〜２２０Ｃは、各バスウェイ入力２０７Ａ〜２０７Ｃへと供給する各送電線２０４、２０６、２０８を介して各電源から電力を受ける。
【００３７】
いくつかの実施形態において、バスウェイシステムは、コンピュータ室の通路空間の全長を通して延びる複数のバスウェイを含み、通路空間に配置された電気的負荷は、複数の様々な電力サポート冗長性の１つを受けるようにバスウェイの１つまたは複数と電気的に結合する。たとえば、図示された実施形態において、電気的負荷２１２Ａ、２１４Ａ、２１４Ｂは、通路空間２０２の様々な領域に配置されているにもかかわらず、電力ケーブル２３０Ａ、２３０Ｄ、２３０Ｅのそれぞれの組を介してバスウェイ２２０Ａ及び２２０Ｃに対して電気的に結合され、電気的負荷２１２Ｂ、２１２Ｃ、２１４Ｆは、通路空間２０２の様々な領域に配置されているにもかかわらず、電力ケーブル２３０Ｂ、２３０Ｃ、２３０Ｆのそれぞれの組を介してバスウェイ２２０Ｂ及び２２０Ｃに対して電気的に結合される。電気的負荷２１２、２１４は、１つまたは複数のラックに様々なコンピュータシステムが取り付けられたラックコンピュータシステム２１６、分岐回路２１８Ａ、２１８Ｂ等を介して１つまたは複数のバスウェイから様々なラックコンピュータシステム２１６へと配電するＡＴＳキャビネット２１２、２１４を含む上流の構成要素、を含むことができる。
【００３８】
電力ケーブル２３０Ａ〜２３０Ｅの組は、各バスウェイと結合されたタップボックスとの連結を介して１つまたは複数のバスウェイ２２０Ａ〜２２０Ｃと結合されることができる。こうしたタップボックスは、図示された実施形態において受容タップボックス、接続遮断ボックス等を含むことができ、たとえば、負荷２１２Ｂは、バスウェイ２２０Ｂ、２２０ＣからＮ＋１電力サポート冗長性を受けるように、分離した電力ケーブル２３０Ｂ及び接続遮断ボックス２４０Ａ、２４０Ｂのそれぞれを介してバスウェイ２２０Ｂ、２２０Ｃに対して結合されたラックコンピュータシステムであり得る。
【００３９】
いくつかの実施形態において、コンピュータ室における様々な負荷は、どのバスウェイを負荷に対して電気的に結合させるかを変更することによって、１つの電力サポート冗長性から別の電力サポート冗長性へと変更され得る。負荷が、分岐回路を介してラックコンピュータシステムに対して分電するＡＴＳキャビネットを含むコンピュータ室における上流の構成要素を含む場合、電力サポート冗長性の変更は、様々なバスウェイからどの電力ケーブルが構成要素の電力インレットに対して結合されるかの変更、または、どのバスウェイが１つまたは複数の構成要素インレットへと供給するケーブルに対して結合されるかの変更を含むことができ、一方で構成要素からの分岐回路が様々なバスウェイ等を通して分電を維持するように維持する。結果として、電力サポート冗長性が広範囲の電力遮断及び通路空間２０２における設備のメンテナンスを要することなく、必要に応じて置換可能に提供され且つ変更される。たとえば、バスウェイ２２０Ａ、２２０Ｂが分離した主要電源から電力を運び、バスウェイ２２０Ｃが第２の電源から電力を運ぶ場合、負荷２１２Ｂは、バスウェイ２２０Ｂ、２２０Ｃを介してＮ＋１電力サポート冗長性を受けることからバスウェイ２２０Ｃから結合遮断ボックス２４０Ａを通して２Ｎ電力サポート冗長性へと変更されることができ、ボックス２４０Ａ及びその付随するケーブル２３０Ｂをバスウェイ２２０Ａに対して結合遮断し、これにより負荷２１２Ｂが主要電力バスウェイ２２０Ａ、２２０Ｂの両方に対して電気的に結合されるのを可能とする。
【００４０】
図３は、いくつかの実施形態による様々なラックコンピュータシステムに対して主要電力サポート冗長性を提供するバスウェイシステムの全長を有するデータセンターコンピューティング室を示す概略図である。
【００４１】
いくつかの実施形態において、バスウェイシステムは、コンピュータ室の通路空間を通して延びる主要電力バスウェイのみを独占的に含み、これにより通路空間において電気的負荷に対して使用可能な電力サポート冗長性を制限し、一方で使用可能な電力サポート冗長性の迅速な搭載及び変更を可能とする。こうした可能な冗長性は、Ｎ、２Ｎ、３Ｎ等の冗長性を含むことができる。図示された実施形態において、たとえば、データセンター３００は、主要電力バスウェイ３２０Ａ、３２０Ｂが通って延びる通路空間３０２と、バスウェイと平行に延びる電気的負荷３１６、３３０の列３１０Ａ、３１０Ｂとを備えたコンピュータ室３０１を含む。電気的負荷は、ラックコンピュータシステム３１６、分岐回路３１８Ａ、３１８Ｂを介してラックコンピュータシステム３１６に対して電力を分配する上流の構成要素３３０等を含むことができる。
【００４２】
様々な電気的負荷３１６、３３０が通路空間３０２に搭載され、負荷３３０は、分離した電力ケーブル３４０及びボックス３５０Ａ、３５０Ｂを介して各バスウェイ３２０Ａ、３２０Ｂに対して電気的に結合される。いくつかの実施形態において、ボックス３５０Ａ、３５０Ｂは、ラックコンピュータシステムであり得る電気的負荷３３０に対してボックスが結合されるそれぞれのバスウェイから電力供給のための遮断サポートを提供できる各接続遮断ボックスである。ボックス３５０Ａ、３５０Ｂは、分離されることができ、且つ、様々なバスウェイに対して結合されることができ、負荷３３０が電力ケーブル３４０を介して様々な電力サポート冗長性を受けるのを可能とする。たとえば、ボックス３５０Ａは、バスウェイ３２０Ａから分離されることができ、２Ｎ電力サポート冗長性からＮ電力サポート冗長性へと負荷３３０を変更するようにバスウェイ３２０Ｂに対して再結合されることができる。別の例示において、ボックス３５０Ａは、負荷３３０から分離されることができ、バスウェイ３２０Ｂに対して結合された別のボックスが２ＮからＮ電力サポート冗長性へと負荷を変更するように負荷３３０に対して結合されることができる。
【００４３】
いくつかの実施形態においてバスウェイシステムが通って延びる通路空間からの電気的負荷の搭載または取り外しは、１つまたは複数の電力ケーブルを介した１つまたは複数のバスウェイとの結合または結合解除を簡易的に含み得る。電力ケーブルは、それぞれのバスウェイに対して固定されたままにでき、通路空間における近くの負荷と結合されることができる。いくつかの実施形態において、電力ケーブルは、１つまたは複数の負荷のそれぞれの電力インレットに対して固定されたままであり、それぞれのボックス３５０を介して様々なバスウェイに対して結合されて着脱可能にされ得る。
【００４４】
図４は、いくつかの実施形態による、様々なラックコンピュータシステムに対して同時に維持可能な第２の電力サポート冗長性を提供するずらされたバスウェイシステムを有するデータセンターコンピューティング室を示す概略図である。
【００４５】
コンピュータ室４０１は、ラックコンピュータシステムの２つの列４１０Ａ、４１０Ｂが通って延び、且つ、バスウェイ４２０Ａ〜４２０Ｃのシステムが通って延びる通路空間４０２を含む。各列４１０Ａ、４１０Ｂは、様々な電気的負荷４１６、４１７を含む。いくつかの実施形態において、いくつかの電気的負荷４１７は、タップボックス４４０及び電力ケーブル４３０の１つまたは複数を介して１つまたは複数のバスウェイ４２０に対して直接的に結合され、いくつかの電気的負荷４１６は、バスウェイ４２０に対して直接的に結合された負荷４１７から負荷４１６に対して電力を分配する分岐回路４１８Ａ、４１８Ｂを介してバスウェイ４２０に対して間接的に結合される。分岐回路は、電気的負荷４１６、４１７の１つまたは複数の通路に面する側の１つまたは複数に対して結合されることができる。示された実施形態において、分岐回路４１８は、電気的負荷４１６、４１７の両方の通路に面する側に対して結合される。当然のことながら、いくつかの実施形態において、１つまたは複数の分岐回路が負荷４１６、４１７の１つまたは複数の通路４０２から外方に面した通路から離れた側部に対して結合されても良い。ラックコンピュータシステムを含み得る電気的負荷は、様々な電気的負荷要求をそれぞれ有しても良い。いくつかの実施形態において、負荷４１６は、１つまたは複数の電力バスウェイ４２０から配電する上流の構成要素である負荷４１７から電力を受けるラックコンピュータシステムである。こうした上流の構成要素は、フロア配電ユニット、切替装置組立体を含む配電ユニットを含むことができ、これは、１つまたは複数の自動転送スイッチ（ＡＴＳ）が搭載されたキャビネットを含むことができ、１つまたは複数のバスウェイから様々なラックコンピュータシステムへと配電する。
【００４６】
バスウェイ４２０Ａ〜４２０Ｃは、通路空間４０２を通して延び、１つまたは複数の電気的負荷４１７、４１６に対して様々な電力サポート冗長性を提供する。バスウェイ４２０Ａ〜４２０Ｃは、主要電力バスウェイ４２０Ａ、４２０Ｂ及び第２の電力バスウェイ４２０Ｃを含む。主要電力バスウェイ４２０Ａ、４２０Ｂのそれぞれは、いくつかの実施形態において、それぞれの電力インレット４０７Ａ、４０７Ｂにおいて送電線４０４、４０８を介して分離した主要電源からの電力を受けて運び、第２の電力バスウェイ４２０Ｃは、インレット４０７、４８０の１つまたは複数において送電線４０６、４８２の１つまたは複数を介して第２の電源からの電力を受けて運ぶことができる。いくつかの実施形態において、第２の電源は、蓄電源を含む。
【００４７】
いくつかの実施形態において、通路空間２０２を通して延びるバスウェイシステムにおける様々なバスウェイ４２０Ａ〜４２０Ｃは、通路空間２０２の様々な領域を通して延びるように構成され得る。バスウェイ４２０Ａ〜４２０Ｃのいくつかは、「ずらされた」構成で通路空間２０２を通して延び、いくつかのバスウェイは、通路空間のいくつかの領域を通して延び、他のバスウェイは異なる。こうしたバスウェイは、通路空間の全長より短い長さで延びることができ、ずらされた構成の部分として延びるバスウェイは、別のバスウェイが通って延びる通路空間の少なくとも１つの領域を通して延びることができる。いくつかの実施形態において、ずらされた構成で延びるバスウェイは、これに関して特定の電力サポート冗長性がコンピュータ室における様々なラックコンピュータシステムに対して提供され得る物理的制限を提供できる。こうした制限は、その領域を通して延びないバスウェイからではなく、その領域を通して延びる特定のバスウェイから電力を受けるように、ラックコンピュータシステムを室の特定の領域に制限することによって様々なバスウェイに亘る負荷平衡化を可能とすることができる。
【００４８】
図示された実施形態において、たとえば、バスウェイ４２０Ａ、４２０Ｂは、通路空間４０２を通してずらされた構成で延び、バスウェイ４２０Ａは、領域４５０Ａを通して延びるがバスウェイ４２０Ｂは領域４５０Ａを通して延びず、一方でバスウェイ４２０Ｂは、領域４５０Ｂを通して延びるがバスウェイ４２０Ａは、領域４５０Ｂを通して延びない。結果として、図示された実施形態において示されるように、電気的負荷４１７は、領域４５０Ａに配置され、送電線４０４を介してバスウェイ４２０Ａに対して電力を供給する特定の主要電源及び１つまたは複数の送電線４０６、４８２を介してバスウェイ４２０Ｃに対して電力を供給する第２の電源から電力サポート冗長性を受けるように、領域４５０Ａを通して延びるバスウェイ４２０Ａ、４２０Ｃに対して結合する。一方、領域４５０Ｂに配置された電気的負荷４１７は、送電線４０８を介してバスウェイ４２０Ｂに対して電力を供給する他の特定の主要電源及び１つまたは複数の送電線４０６、４８２を介してバスウェイ４２０Ｃに対して電力を供給する第２の電源から電力サポート冗長性を受けるように、領域４５０Ｂを通して延びるバスウェイ４２０Ｂ、４２０Ｃに対して結合する。結果として、列４１０Ａ、４１０Ｂにおける主要電力の電気的負荷は、負荷に対して配電する負荷または上流の構成要素が配置された領域４５０Ａ、４５０Ｂに基づいてバスウェイ４２０Ａ、４２０Ｂの間で平衡化され得る。いくつかの実施形態において、第２の電力バスウェイ４２０Ｃは、通路空間４０２の全体を通して延び、通路空間４０２における位置にかかわらずラックコンピュータシステムに対して第２の電力サポートを提供することができる。
【００４９】
いくつかの実施形態において、ずらされたバスウェイの間の負荷平衡化は、バスウェイ４２０を負荷４１６、４１７に対して電気的に結合する電力ケーブル４３０を介して実行される。ケーブル４３０は、負荷４１６、４１７が配置される通路空間４０２の領域４５０を通して延びないバスウェイ４２０に対して負荷４１６、４１７が結合されるのを防ぐ長さを有するように寸法化されることができ、これにより負荷を同じ領域４５０を通して延びるバスウェイ４２０に対して結合させる。こうした制限または「インターロック」は、１つまたは複数の主要電力バスウェイ４２０Ａ、４２０Ｂが通路空間４０２において不均衡化する量の負荷４１６、４１７をサポートするのを防ぐことができ、所定の主要電源、バスウェイ、ＡＴＳキャビネット等の故障により影響されるコンピュータ室４０１における負荷４１６、４１７の数を緩和することができる。
【００５０】
いくつかの実施形態において、通路空間４０２は、ずらされた構成で延びる複数のバスウェイ４２０Ａ、４２０Ｂがさらに延びる「共通領域」４５０Ｃを含む。ずらされたバスウェイが同じ領域を通して延びて「重なる」こうした領域は、１つまたは複数のラックコンピュータシステム、ＡＴＳキャビネット等を含み得る負荷４１６、４１７が複数のずらされたバスウェイ４２０と結合され得る領域となり得る。たとえば、図示された実施形態において、バスウェイ４２０Ａ、４２０Ｂがずらされ、共に共通領域４５０Ｃを通して延び、共通領域４５０Ｃに配置された１つまたは複数の電気的負荷４１７は、共通領域４５０Ｃにおけるずらされたバスウェイ４２０Ａ、４２０Ｂの両方と結合でき、分岐回路４１８Ａ、４１８Ｂを介してバスウェイ４２０Ａ、４２０Ｂの一方から電気的負荷４１６へと選択的に送電できる。バスウェイ４２０Ａ、４２０Ｂは、共に主要電力を運ぶため、共通領域４５０Ｃに搭載された電気的負荷は、共通領域４５０Ｃ等に配置された１つまたは複数の電気的負荷に対して電気的に結合され、２Ｎ電力サポート冗長性を受けることができる。
【００５１】
いくつかの実施形態において、バスウェイシステムにおける１つまたは複数のバスウェイは、複数の電力インレットを介して１つまたは複数の分離した電源に対して同時に結合されるバスウェイを含む。バスウェイは、１つまたは複数の電源から電力を運ぶことができる。結果として、バスウェイは、１つまたは複数の電源、送電線等からの電力停止の場合であっても様々な電気的負荷に対する電力サポートを維持することができる。
【００５２】
図示されたデータセンター４００は、ラックコンピュータシステムの列４１０Ａ、４１０Ｂが通路空間４０２の反対側に沿って延びるコンピュータ室４０１を含む。バスウェイ４２０Ａ〜４２０Ｃのバスウェイシステムは、通路空間４０２を通して延び、主要電力バスウェイ４２０Ａ、４２０Ｂ及び第２の電力バスウェイ４２０Ｃを含む。第２の電力バスウェイ４２０Ｃは、分離した送電線４０６、４８２から電力を供給される複数の分離した電力インレット４０７Ｃ、４８０を含む。送電線４０６、４８２は、いくつかの実施形態において、共通の電源から第２の電力バスウェイ４２０Ｃに対して電力を供給する。分離した送電線は、電源からバスウェイへの冗長性電力送信経路を提供することができる。
【００５３】
いくつかの実施形態において、送電線４０６、４８２は、バスウェイ４２０Ｃから分離した電源へと電力を供給する。送電線４０６、４８２は、分離した遮断器４０４、４８４をそれぞれ含むことができる。分離した遮断器は、交互に開放位置及び閉止位置との間で切り替えることができ、これにより一度に１つの電源のみがバスウェイ４２０Ｃに対して電力供給する。バスウェイ４２０Ｃに対して現在電力供給している１つの電源からの電力が不安定性、完全な停電等により使用できなくなると、その電源のために遮断サポートを提供する遮断器は、他の電源のための他の遮断器が、バスウェイ４２０Ｃへとその他の電源が配電するのを可能とするように閉止する間、使用できない電力サポートからバスウェイ４２０Ｃを絶縁させるように開かれても良い。
【００５４】
いくつかの実施形態において、分離した電源は、分離した送電線４０４、４８４を介してバスウェイ４２０Ｃに対して同時に電力供給する。結果として、バスウェイ４２０Ｃは、電源の１つの停止の場合であっても、連続的な電力サポートを提供することができる。図示された実施形態において、バスウェイ４２０は、第２の電力バスウェイであっても良く、バスウェイ４２０Ａ及び４２０Ｂは、主要電力バスウェイである。結果として、第２の電力バスウェイ４２０Ｃが電気的負荷に対する電力操作の断続的な電源であっても良い一方で、分離した送電線及びインレットは、バスウェイ４２０Ｃ同時に第２の電力サポートを提供するのを可能とする。
【００５５】
図５は、いくつかの実施形態による、様々なバスウェイから様々なラックコンピュータシステムへと電力を経路設定する電力経路組立体を示す概略図である。コンピュータ室５００は、電力バスウェイ５３０Ａ〜５３０Ｃ、電力経路組立体５１０、及びラック５４０Ａ、５４０Ｂのバスウェイシステムを含む。
【００５６】
バスウェイ５３０Ａ〜５３０Ｃは、電源及びそれぞれのバスウェイの１つまたは複数からそれぞれ電力を運び、いくつかの実施形態において、分離した電源の１つまたは複数から電力を運ぶ。所定のバスウェイに運ばれる電力は、少なくとも部分的に負荷に対してバスウェイ電気的に結合するのに基づいて、様々な電気的負荷に対して分散され得る。こうした電気的結合は、負荷の電力インレットをバスウェイと直接的結合すること、間接的に負荷を上流の構成要素等を介してバスウェイと結合することを含み得る。図示された実施形態において、電力経路組立体は、分離した電力ケーブル５１８Ａ、５１８Ｂ及びタップボックス５２０Ａ、５２０Ｂを介してバスウェイ５３０Ｃ及び５３０Ｂに対して直接的に結合され、タップボックスは、それぞれのバスウェイと結合され、ケーブルは、分離したタップボックスを介して電力経路組立体５１０のそれぞれの電力インレット５１２Ａ、５１２Ｂに対して電力を運ぶ。
【００５７】
電力経路組立体５１０は、結合されたバスウェイの１つまたは複数から図示されたラック５４０Ａ、５４０Ｂを含む下流の電気的負荷へと配電可能な少なくとも１つの電力経路モジュール５１４を含む。いくつかの実施形態において、経路モジュール５１４は、図示された、結合されたバスウェイ５３０Ｂ、５３０Ｃを含む複数の結合されたバスウェイからの電力が下流の負荷の１つまたは複数へと同時に分散されるのを可能とする、電気的ブリッジ要素を含む。図示された実施形態を含むいくつかの実施形態において、経路モジュール５１４は、ＡＴＳを含む切替装置組立体を含み、これは、結合されたバスウェイの１つから下流の負荷の１つまたは複数へと選択的に配電する。
【００５８】
ラック５４０Ａ、５４０Ｂは、ラックコンピュータシステム５２２Ａ、５２２Ｂとラックレベル配電ユニット５２４Ａ、５２４Ｂとを含む。電力経路組立体５１０の経路モジュール５１４から分散される電力は、様々な分岐回路５１６Ａ、５１６Ｂの１つまたは複数を介して、様々なラック５４０Ａ、５４０Ｂ及びこれに含まれる様々な構成要素に対して分散されることができる。図示された実施形態において、ラックは、分離したラックの組において示され、これは、室内の電力経路組立体５１０の反対側の近傍に取り付けられた分離したラックの組を含む。電力経路組立体５１０をラックの組５４０Ａ、５４０Ｂのそれぞれに対して結合する分岐回路５１６Ａ、５１６Ｂは、電力経路組立体５１０をラックの組５４０Ａ、５４０Ｂの１つまたは複数におけるラックコンピュータシステム５４２Ａ、５４２Ｂの少なくとも１つに対して電気的に結合する分岐回路の組の１つまたは複数を含むことができ、これにより、電力経路組立体５１０が少なくとも１つの分岐回路を介してラックコンピュータシステムに対して配電するのを可能とする。
【００５９】
いくつかの実施形態において、少なくとも部分的にバスウェイシステムにおける１つまたは複数のバスウェイの、電気的負荷に対して配電する様々な上流の構成要素の１つまたは複数との特定の結合に基づいて、１つまたは複数の様々な電力サポート冗長性がコンピュータ室における様々な電気的負荷に対して提供されることができる。たとえば、図示された実施形態において、バスウェイ５３０Ａ、５３０Ｂは、分離した主要電源から電力を運び、バスウェイ５３０Ｃは、第２の電源から電力を運び、バスウェイ５３０Ｃ、５３０Ｂは、ケーブル５１８Ａ、５１８Ｂ及びタップボックス５２０Ａ、５２０Ｂのそれぞれを介してバスウェイ５３０Ｂ、５３０Ｃのそれぞれが結合される、結合された電力経路組立体５１０を通してラックの組５４０Ａ、５４０Ｂにおけるラックコンピュータシステム５４２Ａ、５４２Ｂに対してＮ＋１電力サポート冗長性を提供することができる。
【００６０】
いくつかの実施形態において、バスウェイシステムにおけるバスウェイを介して電気的負荷に対して提供される電力サポート冗長性は、置換可能に提供されることができ、電力サポート冗長性は、少なくとも部分的に１つまたは複数のバスウェイと上流の構成要素との間の結合の変化に基づいて変更され得る。図示された実施形態において、たとえば、ラックコンピュータシステム５４０Ａ、５４０Ｂに対してＮ＋１電力サポート冗長性を提供するために、バスウェイ５３０Ｂ、５３０Ｃが電力経路組立体５１０に対して結合され、バスウェイ５３０の１つまたは複数に対するタップボックス５２０及びケーブル５１８の一方の結合は、ラックコンピュータシステム５４０Ａ、５４０Ｂに対して提供される電力サポート冗長性を変更するために変更されることができる。たとえば、示されるように、タップボックス５２０Ａは、バスウェイ５３０Ｃから分離されることができ、タップボックス５２０Ｃによって示されるように、バスウェイ５３０Ａに対して再結合され、これにより、電力ケーブル５１８Ａは、タップボックス５２０Ｃを介してバスウェイ５３０Ａから電力経路組立体５１０の電力インレット５１２Ａへと電力を運ぶ。結果として、バスウェイ５３０Ａ、５３０Ｂは、主要電力バスウェイであり、バスウェイシステム５３０は、ラックコンピュータシステム５４０Ａ、５４０Ｂに対するＮ＋１電力サポート冗長性の提供から２Ｎ電力サポート冗長性の提供へと変更され得る。いくつかの実施形態において、所定のバスウェイに対して結合された特定のタップボックス及びケーブルは、電力インレット５１２Ａ、５１２Ｂから分離されることができ、他のバスウェイに対して結合された他のタップボックス及びケーブルは、電力経路組立体５１０に対して提供される電力サポート冗長性を変更するために電力インレット５１２Ａ、５１２Ｂに対して結合されることができる。
【００６１】
図６は、バスウェイシステムが搭載されたコンピューティング室の正面図を示す概略図であり、いくつかの実施形態による様々な電力サポート冗長性を提供するために多相電力バスの様々な電力バスバーに対して結合された電力経路組立体が配列される。
【００６２】
いくつかの実施形態において、バスウェイシステムは、コンピュータ室における様々な位置において延びるように搭載されることができる。たとえば、バスウェイのバスウェイシステムは、ラックコンピュータシステムからの排気が排出される「高温の通路」等を通して高められたフロアの下で延びることができ、いくつかの実施形態において、バスウェイのバスウェイシステムは、コンピュータ室の「低温の」通路空間を通して高められた位置において延びるように搭載される。低温の通路空間は、ラックコンピュータシステムの列に対して平行に延びる通路空間を含み、ここで冷却空気としてラックコンピュータシステムに対して提供される空気が循環される。低温の通路空間におけるバスウェイの搭載は、操作者が、操作者の安全性について最小限のリスクで且つコンピュータ室に搭載された様々なラックコンピュータシステム、ＡＴＳキャビネット等へのアクセスに対する最小限の障害でバスウェイにアクセスするのを可能とする。
【００６３】
図示された実施形態において、データセンター６００は、バスウェイ６２０Ａ〜６２０Ｃのバスウェイシステムがコンピュータ室６０１の低温の通路空間６１０の高められた位置に搭載されたコンピュータ室６０１を含む。コンピュータ室６０１は、通路６１０に搭載されたラック６１２Ａ、６１２Ｂを含み、ラックは、通路６１０から冷却空気を受け、且つ１つまたは複数の高温の通路空間を含み得る１つまたは複数の排出プレナム６１６Ａ、６１６Ｂへと排気を吐出するコンピュータシステム（図示せず）を含む。冷却空気は、１つまたは複数の通気口６１８を介して図示されるように高められたフロアプレナムの通路の下等に搭載され得る１つまたは複数の冷却空気プレナム６１４から通路６１０へと提供されることができる。
【００６４】
図示された実施形態において、バスウェイ６２０Ａ〜６２０Ｃは、低温の通路空間６１０における高められた位置において通気口６１８を含む天井構造６１９から垂れ下がるように搭載され、各バスウェイは、１つまたは複数のタップボックス及び電力ケーブルを介して低温の通路空間６１０に搭載された１つまたは複数の様々な電気的負荷に対して結合する。たとえば、バスウェイ６２０Ａは、タップボックス６３０Ａ及び電力ケーブル６３２Ａを介してラック６１２Ａの電力インレット６３４Ａに対して結合され、タップボックス６４０Ａ及び電力ケーブル６４２Ａを介してラック６１２Ｂの電力インレット６４４Ａに対してさらに結合される。結果として、バスウェイ６２０Ａは、ラック６１２Ａ、６１２Ｂのいずれかによってサポートされた電気的負荷に対して電力サポートを提供する。いくつかの実施形態において、１つまたは複数のラック６１２Ａ、６１２Ｂは、通路空間６１０に搭載された１つまたは複数の外部の電気的負荷に対して配電するＡＴＳキャビネットを含み得る上流の構成要素を含み、バスウェイ６２０Ａは、上流の構成要素６１２Ａ、６１２Ｂとの結合により電気的負荷に対して電力サポートを提供する。
【００６５】
いくつかの実施形態において、様々な電力サポート冗長性は、少なくとも部分的にどのバスウェイが負荷に対して電気的に結合されているかに基づいてコンピュータ室における様々な負荷に対して提供されることができる。電力サポート冗長性は、少なくとも部分的に様々なバスウェイと負荷との間の結合の変更に基づいて変更されることができ、バスウェイを通した配電を維持する間に実現され得る。いくつかの実施形態において、バスウェイは、分岐回路を介してコンピュータ室における様々な負荷に対して配電する上流の構成要素に対して結合され、負荷に対して提供される電力サポート冗長性は、上流の構成要素と下流の負荷との間の分岐回路の構成を維持する間に変更されることができ、電力サポート冗長性は、少なくとも部分的に様々なバスウェイと上流の構成要素との間の結合の変化に基づいて変更される。
【００６６】
図示された実施形態において、たとえば、各バスウェイ６２０Ａ〜６２０Ｃは、分離した電源から電力を運ぶことができ、これにより負荷に対して様々な電力サポート冗長性を提供するため、様々な電源からの電力の様々な組み合わせが通路空間６１０における電気的負荷に対して提供され得る。示されるように、バスウェイ６２０Ａがラック６１２Ａ、６１２Ｂの両方に対して結合される一方で、バスウェイ６２０Ｂはタップボックス６４０Ｂ及び電力ケーブル６４２Ｂを介してラック６１２Ｂのインレット６４４Ｂに対して結合され、一方、バスウェイ６２０Ｃは、タップボックス６３０Ｂ及び電力ケーブル６３２Ｂを介してラック６１２Ａのインレット６３４Ｂに対して結合される。結果として、ラック６１２Ａは、バスウェイ６２０Ａ及び６２０Ｃに対して電力を供給する電源から電力サポートを受け、一方でラック６１２Ｂは、バスウェイ６２０Ａ及び６２０Ｂに対して電力を供給する電源から電力サポートを受ける。
【００６７】
いくつかの実施形態において、１つまたは複数のバスウェイは、様々な電源の形式から電力を運び、これにより、所定の電気的負荷に対するバスウェイの様々な組み合わせの結合は、電気的負荷に対して提供される様々な電力サポート冗長性となる。たとえば、バスウェイ６２０Ａ、６２０Ｂは、分離した主要電源からそれぞれ電力を運び、バスウェイ６２０Ｃは、第２の電源から電力を運び、電気的負荷に対して電気的に結合するバスウェイ６２０Ｃ及びバスウェイ６２０Ａまたは６２０Ｂのいずれかは、ラック６１２Ａに対して電気的に結合されるバスウェイ６２０Ａ、６２０Ｃに関して図示された実施形態に示されるように、その電気的負荷に対してＮ＋１電力サポート冗長性を提供する。さらに、電気的負荷に対して電気的に結合するバスウェイ６２０Ａ及び６２０Ｂは、ラック６１２Ｂに対して電気的に結合されたバスウェイ６２０Ａ、６２０Ｂに関して図示された実施形態に示されるように、その負荷に対して２Ｎ電力サポート冗長性を提供することができる。いくつかの実施形態において、負荷は、単一のバスウェイ６２０、共通の電源から電力を運ぶ１つまたは複数のバスウェイ等に対して結合されることができ、これにより、負荷に対してＮ電力サポート冗長性が提供される。
【００６８】
いくつかの実施形態において、高められた位置において通路空間を通して延びるように搭載されたバスウェイのバスウェイシステムは、互換性のある電力サポート冗長性を提供するように、１つまたは複数のバスウェイの、電気的負荷に対する結合を可能とする。バスウェイのこうした搭載は、バスウェイを通して配電を維持する間、上流の構成要素と下流の電気的負荷等との間の結合を維持しつつ、電力サポート冗長性が迅速に変更されるのを可能とすることができる。たとえば、図示された実施形態において、バスウェイ６２０Ａ〜６２０Ｃは、コンピュータ室６０１においてラック６１２Ａ、６１２Ｂの上方で延び、低温の通路空間６１０またはプレナム６１４、６１６のいずれかにおけるフロア空間を遮らない。さらに、様々なバスウェイ６２０Ａ〜６２０Ｃとラック６１２Ａ、６１２Ｂとの間の結合は、通路空間６１０内の操作者にとって視認可能であり、通路空間６１０における様々なラック６１２Ａ、６１２Ｂに対して提供される現在の電力サポート冗長性の迅速な視認判断を可能とする。
【００６９】
いくつかの実施形態において、様々なバスウェイ６２０Ａ〜６２０Ｃとラック６１２Ａ、６１２Ｂとの間の通路空間６１０における電力ケーブル６３２Ａ、６３２Ｂ、６４２Ａ、６４２Ｂ、及びタップボックス６３０Ａ、６３０Ｂ、６４０Ａ、６４０Ｂの開いた存在（ｏｐｅｎ  ｐｒｅｓｅｎｃｅ）は、コンピュータ室６０１における他の設備の構成を維持しつつ電力ケーブル及びタップボックスが様々なバスウェイと電気的負荷との間で結合され且つ分離されることを可能とする。図示された実施形態において、たとえば、低温の通路空間６１０に搭載されたラック６１２Ａは、ラック６１２Ａの１つまたは複数の電力インレット６３４Ａ、６３４Ｂから１つまたは複数の様々なバスウェイ６２０Ａ〜６２０Ｃへと延びる１つまたは複数の電力ケーブルを介して１つまたは複数のバスウェイ６２０Ａ〜６２０Ｃに対して結合されることができ、受容タップボックス、接続遮断ボックス等を含み得るタップボックスは、バスウェイをラックに対して電気的に結合するように電力ケーブルを各バスウェイに対して結合させる。いくつかの実施形態において、電力ケーブル及びタップボックスは、各バスウェイ６２０Ａ〜６２０Ｃに対して結合されたままであり、その各タップボックスから遠位にある電力ケーブルの端部は、バスウェイをラックと電気的に結合するようにラックの電力インレットと結合され得る。通路空間からのラックの取り外しは、電力ケーブルを介したラックと様々なバスウェイとの間の電気的結合の結合解除を含み得る。
【００７０】
いくつかの実施形態において、通路空間６１０は、様々な電気的負荷が搭載され得る様々な位置を含む。負荷は、ＡＴＳキャビネットを含む上流の構成要素と、ラックコンピュータシステムを含む下流の構成要素と、を含む。いくつかの実施形態において、バスウェイ６２０のバスウェイシステムは、上流の構成要素及び下流の構成要素が通路空間６１０における任意の位置において１つまたは複数のバスウェイ６２０Ａ〜６２０Ｃと置換可能に電気的に結合されるのを可能とする。バスウェイ６２０Ａ〜６２０Ｃ及びラック６１２Ａ、６１２Ｂが１つまたは複数の電力ケーブル及びタップボックスを介して結合されるため、バスウェイ６２０は、負荷が下流の構成要素か上流の構成要素か等にかかわらず、通路空間６１０における所定の位置に取り付けられた負荷６１２の電力インレットと結合されることができる。いくつかの実施形態において、通路空間６１０における所定の位置は、受ける下流の構成要素と上流の構成要素との間で切り替えられることができ、１つまたは複数のバスウェイ６２０は、少なくとも構成要素に対して電力サポート冗長性を提供するように、所定の位置において上流の構成要素または下流の構成要素のいずれが搭載されるのかから結合され且つ分離されることができる。いくつかの実施形態において、少なくとも部分的にどの構成要素が負荷を備えるのかに基づいて、バスウェイ及び負荷を結合するように、電力ケーブル及びタップボックスの様々な組み合わせが使用される。たとえば、バスウェイ６２０は、上流の構成要素の電力インレットと接続遮断ボックスを結合されたバスウェイ及び電力ケーブルに対して結合された接続遮断ボックスを介して上流の構成要素に対して結合されることができる。別の例示において、バスウェイ６２０は、受容タップボックス及び電力ケーブルを介して下流の構成要素に対して結合され得る。
【００７１】
さらに、様々なバスウェイ６２０Ａ〜６２０Ｃとラック６１２Ａ、６１２Ｂとの間の通路空間６１０における電力ケーブル６３２、６４２及びタップボックス６３０、６４０の開いた存在は、ラック６１２Ａ、６１２Ｂ及びバスウェイ６２０Ａ〜６２０Ｃ自体の構成を維持しつつ、電力ケーブル６３２Ａ、６３２Ｂ、６４２Ａ、６４２Ｂ及びタップボックス６３０Ａ、６３０Ｂ、６４０Ａ、６４０Ｂが容易にアクセスされて様々なバスウェイと負荷との間で切り替えられるのを可能とする。たとえば、タップボックス６４０Ａは、バスウェイ６２０Ａから分離されることができ、且つバスウェイ６２０Ｃに対して再結合されることができ、これによりバスウェイ６２０Ａから電力サポートを受けることから、バスウェイ６２０Ｃから電力サポートを受けることへと、ラック６１２Ｂを変更する。バスウェイ６２０Ａは、主要電源から電力を運び、バスウェイ６２０Ｃは、第２の電源から電力を運び、上述のタップボックス６４０Ａの分離及びさい結合は、バスウェイ６２０Ａ、６２０Ｂから２Ｎ電力サポート冗長性を受けることから、バスウェイ６２０Ｂ、６２０ＣからＮ＋１電力サポート冗長性を受けることへとラック６１２Ｂを変更することができる。ラック６１２Ｂは、ＡＴＳキャビネットを含む上流の構成要素を含み、ＡＴＳキャビネットに対して提供される電力サポート冗長性の切り替えは、下流の電気的負荷に対してＡＴＳキャビネットを電気的に結合する分岐回路を維持しつつ、ＡＴＳキャビネットによってサポートされる下流の電気的負荷に対して提供される電力サポート冗長性の変更を含むことができる。
【００７２】
図７は、いくつかの実施形態による、通路空間における電気的負荷に対して様々な電力サポート冗長性を提供するためのバスウェイシステムを示す。
【００７３】
７０２において、１つまたは複数のバスウェイがコンピュータ室の通路空間内に搭載される。バスウェイは、１つまたは複数の主要電力バスウェイを含むことができる。いくつかの実施形態において、１つまたは複数のバスウェイは、１つまたは複数の第２の電力バスウェイを含む。少なくともいくつかのバスウェイが通路空間の全長より短い長さを有しても良く、バスウェイは、通路の様々な領域において搭載されても良く、したがって少なくともいくつかのバスウェイは、独占的に１つまたは複数の他のバスウェイの通路空間の特定の領域を通して延びる。こうしたバスウェイは、「ずらされた」構成である、と称されても良い。通路空間において搭載されたいくつかのバスウェイは、ずらされた構成で搭載されても良く、いくつかはずらされた構成で搭載されなくても良い。たとえば、通路空間において搭載された主要電力バスウェイは、ずらされた構成であっても良く、且つ、第２の電力バスウェイは、ずらされた構成でなくても良く、これにより、主要電力バスウェイが他の主要電力バスウェイが通って延びない通路空間の特定の領域のそれぞれを通して延びる一方で、第２の電力バスウェイは、通路空間の各領域のそれぞれを通して延びても良い。
【００７４】
いくつかの実施形態において、１つまたは複数のバスウェイは、コンピュータ室の低温の通路空間を通して延びるように搭載される。バスウェイは、高められた位置において延びるように搭載されることができ、これによりバスウェイは通路空間において搭載され得る可能な負荷の上方で吊るされる。
【００７５】
７０４において、通路空間において搭載される様々なバスウェイは、１つまたは複数の電源に対して電気的に結合される。主要電力バスウェイは、いくつかの実施形態において、分離した主要電源に対してそれぞれ電気的に結合される。複数の第２の電力バスウェイは、通路空間において搭載され、いくつかの第２の電力バスウェイは、共通の第２の電源に対して電気的に結合される。各バスウェイは、通路空間内へと延び且つ各バスウェイの１つまたは複数の端部で結合する送電線を介して電源に対して電気的に結合されることができる。１つまたは複数のバスウェイは、ずらされた構成で搭載され、１つまたは複数の送電線は、通路空間の一端から通路空間の１つまたは複数の領域を通して送電線が延びる通路空間の端部近傍の領域を通して延びないバスウェイの端部と結合するように延びても良い。
【００７６】
７０６において、１つまたは複数の電気的負荷は、通路空間における１つまたは複数の位置において搭載される。電気的負荷は、１つまたは複数のラックコンピュータシステム、ＡＴＳキャビネット、ＰＤＵ等を含む。通路空間は、電気的負荷が取り付けられ得る説明されたキャビネット位置を含むことができる。いくつかの実施形態において、ラックコンピュータシステム、ＡＴＳキャビネット等は、通路空間における任意のキャビネット位置において取り付けられ得る。取り付けられる負荷が選択される特定のキャビネット位置は、可能な電流を含む、通路空間の様々な領域におけるバスウェイの電力要求、及び様々な特性を含む負荷の様々な特性に少なくとも部分的に基づいて決定されても良い。いくつかの実施形態において、ＡＴＳキャビネット及びラックコンピュータシステムのような上流の構成要素は、通路空間における様々なキャビネット位置において置換可能に取り付けられ得る。ＡＴＳキャビネット及びラックコンピュータシステムは、通路空間において取り付けられ、１つまたは複数のラックコンピュータシステムに対してＡＴＳキャビネットを電気的に結合する分岐回路が搭載されることができ、これによりＡＴＳキャビネットは、ラックコンピュータシステムに対して配電できる。
【００７７】
７０８〜７２４において、通路空間に搭載された様々な負荷は、通路空間における様々な負荷に対して１つまたは複数の様々な電力サポート冗長性を提供するための様々なバスウェイを構成するように、様々な搭載されたバスウェイと電気的に結合される。バスウェイが負荷に対して電気的に結合されたものは、電力サポート冗長性が負荷に対して提供されるものを確立することができる。
【００７８】
７０８において、１つまたは複数の電気的負荷に対して提供される電力サポート冗長性が、Ｎ＋１冗長性を含み得る、第２の電力を含む冗長性かどうかの決定が成される。そうではない場合、７１０〜７１４に示されるように、電気的負荷が全体として＠Ｎ冗長性と称される、Ｎ冗長性、２Ｎ冗長性、３Ｎ冗長性等の１つまたは複数を含み得る複数のＮ冗長性を有しても良い。７１０、７１２及び７１４において、２Ｎ冗長性が提供される場合、ついでバスウェイシステムが電気的負荷に対して２Ｎ冗長性を提供するように構成され得る。７１２において、電気的負荷の分離した電力インレットが分離した電力ケーブルを介して分離したタップボックスに対して結合される。タップボックスは、受容タップボックス、接続遮断ボックス、またはいくつかのこれらの組み合わせ等を含み得る。負荷は、分岐回路を介してラックコンピュータシステムに対して配電するＡＴＳキャビネットを含み、結合は、ＡＴＳキャビネットの電力インレットの、分離した電力ケーブルを介した分離した受容タップボックスとの結合を含み得る。ＡＴＳキャビネットは、１つまたは複数の分岐回路を介して主要電力バスウェイの１つから様々なラックコンピュータシステムへと送電する１つまたは複数の切替装置組立体を含むことができる。電気的負荷は、ラックコンピュータシステムであり、結合は、分離した電力ケーブルを介した、ラックコンピュータシステムの分離した電力インレットの、分離した受容タップボックスとの結合を含み得る。７１４において、分離したタップボックスは、通路空間における主要電力バスウェイを分離するように結合され、これにより分離した電力ケーブル及びタップボックスを介して主要電力バスウェイを電気的負荷と電気的に結合する。タップボックスは、バスウェイに対して結合され得る。いくつかの実施形態において、タップボックスは、バスウェイに対して着脱可能に結合され、いくつかのバスウェイから分離され、且つ、目的とする他のバスウェイに対して再結合される。
【００７９】
７１６〜７１８において、２Ｎ電力冗長性が提供されず、Ｎ冗長性が提供され得る。７１８において、電気的負荷が１つまたは複数の電力ケーブルを介して１つまたは複数のタップボックスに対して結合され得る。７１６において、１つまたは複数のタップボックスは、１つまたは複数の主要電力バスウェイを電気的負荷と電気的に結合するために、共通の主要電源から電力を運ぶ１つまたは複数のバスウェイに対して結合されることができる。
【００８０】
７２０〜７２４において、電力サポート冗長性は、１つまたは複数の電気的負荷に対して少なくともＮ＋１電力サポート冗長性を提供するように、少なくとも１つの主要電力バスウェイを備えた少なくとも１つの第２の電力バスウェイにおいて、第２の電源から電力サポートを含むこととなる。７２０において、電気的負荷の少なくとも２つの電力インレットのそれぞれは、分離した電力ケーブルを介して分離したタップボックスに対して結合される。いくつかの実施形態において、Ｎ＋１電力サポート冗長性を受ける電気的負荷は上流の構成要素であり、分岐回路を介して１つまたは複数の電源から様々なラックコンピュータシステムへと配電するＡＴＳキャビネットを含むことができる。７２２において、分離したタップボックスは、第２の電力バスウェイ及び少なくとも１つの主要電力バスウェイに対して個別に結合される。７２４において、たとえば、電気的負荷はＡＴＳキャビネットを含み、ＡＴＳキャビネットは、それぞれの分岐回路を介して様々なラックコンピュータシステムに対して結合され、これにより、ＡＴＳキャビネットを介して第２のバスウェイ及び主要バスウェイからＮ＋１電力サポート冗長性を受けるようにラックコンピュータシステムを電気的に結合する。
【００８１】
いくつかの実施形態において、図７に示されるように、通路空間における１つまたは複数の電気的負荷に対して提供される電力サポート冗長性は、最初に提供された冗長性から別の異なる冗長性へと変更されることができる。バスウェイシステムは、バスウェイ分岐回路等の通電に影響することなく冗長性が迅速に変更されるのを可能とする。たとえば、電気的負荷は、Ｎ＋１電力冗長性を受けるように主要電力バスウェイ及び第２の電力バスウェイに対して結合されるＡＴＳキャビネットを含み、バスウェイは、第２の電力バスウェイから第２の電力を供給する電力ケーブルを分離し、電力ケーブルを主要電力バスウェイに対して再結合することによって、ＡＴＳキャビネットに対して２Ｎ冗長性を提供するように再構成されることができる。こうした分離及び再結合は、タップボックス、接続遮断ボックス等の分離を含むことができ、これは、１つのバスウェイから電力ケーブルに対して結合され、別のバスウェイに対してボックスを再結合し、これにより電力ケーブルが結合されるバスウェイを変更する。別の例示において、複数の電力ケーブルが分離した電力バスウェイに対してそれぞれ結合され、ＡＴＳキャビネットは、ＡＴＳキャビネット電力インレットにおいて第２の電力バスウェイに対して結合され且つ主要電力バスウェイに対して結合される別の分離した電力ケーブルに対して結合された１つの電力ケーブルから分離されることができる。電力サポート冗長性のこうした変更は、ＡＴＳキャビネットからラックコンピュータシステムへと配電する分岐回路を変更することなく実行されても良い。
【００８２】
いくつかの実施形態において、電力ケーブルのサイズは、電気的負荷の特定の近位距離内の通路空間を通して延びるバスウェイに対する負荷とバスウェイとの間の結合を可能とするように制限される。少なくともいくつかのバスウェイがずらされた構成で通路空間において搭載され、電力ケーブルのサイズの制限は、電気的負荷との結合から特定のバスウェイを制限することができ、これにより負荷の位置に少なくとも部分的に基づいて、様々なずらされたバスウェイに亘る負荷の平衡化を可能とする。
【００８３】
開示の実施形態は、以下の節を考慮して説明されることができ、
１．データセンターであって、
複数の領域を備えた通路空間であって、それぞれの領域が前記通路空間の長さの限定部及び前記通路空間の全幅に亘る、前記通路空間と、
前記通路空間の長さに沿って延びる少なくとも１つのラックコンピュータシステムの列であって、前記ラックコンピュータシステムのそれぞれが１つまたは複数のコンピュータシステムを備え、且つ前記複数の領域の少なくとも１つに配置された、前記少なくとも１つのラックコンピュータシステムの列と、
少なくとも２つの主要電力バスウェイであって、前記ラックコンピュータシステムの列の少なくとも１つと平行な前記通路空間の高められた部分を通してずらされた構成で延び、前記主要電力バスウェイのそれぞれが前記ラックコンピュータシステムの列の少なくとも１つの全長より短く延び且つ他の前記主要電力バスウェイの少なくとも１つのない前記通路空間の特定の領域を通して延びるずらされた構成で延びる、前記少なくとも２つの主要電力バスウェイと、
前記ラックコンピュータシステムの列の少なくとも１つの全長と平行且つ前記ラックコンピュータシステムの列の少なくとも１つの全長に沿った前記通路空間の前記高められた部分を通して延びる少なくとも１つの第２の電力バスウェイと、を備え、
前記通路空間の特定の領域を通して延びる前記第２の電力バスウェイ及び特定の前記主要電力バスウェイが、近傍のラックコンピュータシステムに対して特定の電力サポート冗長性を提供するように、分離した電力ケーブルを介して前記特定の領域に配置された近傍のラックコンピュータシステムに対し電気的に結合されるように構成された、データセンター。
【００８４】
２．ずらされた構成で延びるように、前記少なくとも２つの主要電力バスウェイのそれぞれが、少なくとも部分的に前記通路空間の共通領域を通して延び、
前記少なくとも２つの主要電力バスウェイが、他の特定のラックコンピュータシステムに対して他の特定の電力サポート冗長性を提供するように、分離した電力ケーブルを介して、前記共通領域に配置された前記他の近傍のラックコンピュータシステムに対し電気的に結合するように構成された、節１に記載のデータセンター。
【００８５】
３．分離した電力ケーブルを介して前記近傍のラックコンピュータシステムに対して電気的に結合するように、前記第２の電力バスウェイ及び主要電力バスウェイが、前記分離した電力ケーブルを介して切替装置組立体と結合するように構成され、前記切替組立体が、分岐回路を介して前記第２の電力バスウェイ及び特定の主要電力バスウェイの１つから前記ラックコンピュータシステムへと選択的に送電し、
前記第２の電力バスウェイ及び主要電力バスウェイが、前記特定のラックコンピュータシステムに対して提供された前記電力サポート冗長性を変更するように構成され、前記特定のラックコンピュータシステムに対して提供された前記電力サポート冗長性を変更するため、前記特定の主要電力バスウェイが特定の電力ケーブルを介して前記切替装置組立体から分離され、且つ、他の前記電力ケーブル及び前記分岐回路の少なくとも１つを介した前記少なくとも１つのラックコンピュータシステムに対する配電を維持しつつ、他の特定の主要電力バスウェイが、前記特定の電力ケーブルを介して前記切替装置組立体に対して結合された、先行節のいずれか１節に記載のデータセンター。
【００８６】
４．分離した電力ケーブルを介して前記特定の領域に配置された近傍のラックコンピュータシステムに対し電気的に結合するように、前記通路空間の特定の領域を通して延びる前記第２の電力バスウェイ及び前記特定の主要電力バスウェイの１つが、前記近傍のラックコンピュータシステムが、前記通路空間の前記特定の領域を通して少なくとも部分的に延びるバスウェイから電力サポートを受けるように制限されるように、前記通路空間の前記特定の領域のサイズに対応する限定された長さをそれぞれが有する分離した電力ケーブルを介して前記近傍のラックコンピューティングと結合するように構成された、先行節のいずれか１節に記載のデータセンター。
【００８７】
５．システムであって、通路空間の１つまたは複数の領域を通して延びるように構成された複数の電力バスウェイを備え、それぞれの領域は前記通路空間の長さの全幅及び分離した限定部に亘り、少なくとも２つの前記電力バスウェイは、分離した主要電源から配電するように構成された主要電力バスウェイを備え、且つ、少なくとも１つの前記電力バスウェイは、少なくとも１つの第２の電源から配電するように構成された第２の電力バスウェイを備え、
前記複数の電力バスウェイは、前記複数の電力バスウェイの１つまたは複数のどれが少なくとも分離したタップボックスを介して前記電気的負荷の電力インレットに対し置換可能に結合されているかに少なくとも部分的に基づいて、前記通路空間に配置された少なくとも１つの電気的負荷に対して、置換可能に複数の電力サポート冗長性の少なくとも１つを提供するように構成された、前記システム。
【００８８】
６．前記少なくとも２つの主要電力バスウェイは、前記通路空間を通してずらされた構成で延び、ずらされた構成で延びる前記少なくとも２つの主要電力バスウェイの少なくとも１つは、前記通路空間の全長より短く延び、且つ、他の前記少なくとも２つの主要電力バスウェイの少なくとも１つのない前記通路空間の特定の領域を通して延びる、節５に記載のシステム。
【００８９】
７．ずらされた構成で延びるように、前記少なくとも２つの主要電力バスウェイの両方が、前記通路空間の共通領域を通して少なくとも部分的に延び、且つ、
前記通路空間に配置された少なくとも１つの電気的負荷に対して複数の電力サポート冗長性の少なくとも１つを置換可能に提供するように、前記少なくとも２つの主要電力バスウェイが、前記通路空間の前記共通領域における電気的負荷に対して主要電力サポート冗長性を提供するように構成された、節６に記載のシステム。
【００９０】
８．前記通路空間の前記共通領域が、前記通路空間の中央領域を通して延び、前記少なくとも２つの主要電力バスウェイのそれぞれが、前記通路空間の前記中央領域から前記通路空間の対向する端部に向かって外方に延びる前記通路空間の分離した特定の領域を通して、少なくとも部分的に且つ互いに独立して延びる、節７に記載のシステム。
【００９１】
９．前記主要電力バスウェイのそれぞれは、他の主要電力バスウェイとは独立して前記主要電力バスウェイのそれぞれが通って延びるそれぞれの領域に配置された電気的負荷に対して独占的な主要電力サポートを提供するように構成され、
前記第２の電力バスウェイは、前記通路空間の分離したそれぞれの領域に配置され且つ前記分離したそれぞれの領域を通して独占的に延びる分離した主要電力バスウェイから主要電力サポートを受ける電気的負荷に対して第２の電力サポートを提供するように構成された、節８に記載のシステム。
【００９２】
１０．前記通路空間の前記共通領域における電気的負荷に対して主要電力サポート冗長性を置換可能に提供するように、前記複数の電力バスウェイが、前記少なくとも２つの主要電力バスウェイのそれぞれに対して可逆的に結合されたそれぞれのタップボックスを介して特定のラックコンピュータシステムと可逆的に電気的に結合するように構成された、節５から９のいずれか１節に記載のシステム。
【００９３】
１１．前記通路空間に配置された少なくとも１つの電気的負荷に対して複数の電力サポート冗長性の少なくとも１つを置換可能に提供するように、前記複数の電力バスウェイのそれぞれが、前記分離したタップボックスの分離した１つとそれぞれ結合された分離した電力ケーブルを介して１つまたは複数の電気的負荷と電気的に結合するように構成され、且つ、前記特定の領域に配置された前記電気的負荷が少なくとも他の前記電力バスウェイとの電気的な結合を制限されるように、少なくとも１つの他の前記複数の電力バスウェイとは独立して前記電力バスウェイが通って延びる前記通路空間の前記特定の領域のサイズに対応する限定された長さをそれぞれ有する、節５から１０のいずれか１節に記載のシステム。
【００９４】
１２．前記通路空間に配置された少なくとも１つの電気的負荷に対して複数の電力サポート冗長性の少なくとも１つを置換可能に提供するように、前記少なくとも２つの主要電力バスウェイ及び第２の電力バスウェイが、前記複数の電力バスウェイのそれぞれを通した配電を維持しつつ、前記少なくとも１つの電気的負荷に対するタップボックスが前記複数の電力バスウェイの１つから分離され且つ他の前記複数の電力バスウェイに対して結合されるのを可能とするように構成された、節５から１１のいずれか１節に記載のシステム。
【００９５】
１３．前記第２の電力バスウェイは、前記第２の電力バスウェイが前記複数の分離した第２の電源の少なくとも１つから受けた第２の電力を選択的に配電するように構成されるように、前記第２の電力バスウェイに対する分離した電力入力を介して複数の分離した第２の電源に対して電気的に結合された、節５から１２のいずれか１節に記載のシステム。
【００９６】
１４．前記通路空間に配置された前記少なくとも１つの電気的負荷が、分岐回路を介して複数の電源の１つから前記通路空間に配置された少なくとも１つのラックコンピュータシステムへと選択的に送電するように構成された切替装置組立体を備え、
前記複数の電力バスウェイの少なくとも１つを前記切替装置組立体と電気的に結合する前記タップボックスのそれぞれが、前記電力バスウェイのそれぞれと結合される分離した電力接続遮断ボックスを備え、
前記通路空間に配置された電気的負荷の少なくとも１つに対して複数の電力サポート冗長性の少なくとも１つを置換可能に提供するように、前記複数の電力バスウェイは、前記切替装置組立体と前記ラックコンピュータシステムとの間の前記分岐回路を維持しつつ、前記複数の電力バスウェイの１つを前記切替装置組立体と電気的に結合する電力接続遮断ボックスが前記複数の電力バスウェイの１つから分離され且つ他の前記複数の電力バスウェイに対して結合されるのを可能とするように構成された、節５から１３のいずれか１節に記載のシステム。
【００９７】
１５．通路空間に配置された複数の電気的負荷の１つまたは複数に対して複数の電力サポート冗長性の１つまたは複数を置換可能に提供するように前記通路空間を構成することを含む方法であって、
前記通路空間を構成することが、通路空間の１つまたは複数の領域を通して延びるように少なくとも２つの主要電力バスウェイを搭載することであって、それぞれの領域が前記通路空間の長さの全幅及び分離した限定部に亘り、前記少なくとも２つの主要電力バスウェイのそれぞれが分離した主要電源から配電するように構成された、前記少なくとも２つの主要電力バスウェイを搭載することと、
第２の電源から配電するように構成された、前記通路空間の全長を通して延びるように少なくとも１つの第２の電力バスウェイを搭載することと、
前記複数の電力バスウェイの１つまたは複数を１つまたは複数の電力ケーブルを介して前記１つまたは複数の前記電気的負荷に対し電気的に結合することであって、前記複数の電力サポート冗長性のどれが前記１つまたは複数の電気的負荷に対して提供されるかは、前記複数の電力バスウェイの１つまたは複数のどれが前記１つまたは複数の電気的負荷に対して電気的に結合されるかに、少なくとも部分的に基づく、電気的に結合することと、を含む、前記方法。
【００９８】
１６．前記通路空間の長さの少なくとも一部を通して延びるように複数の電力バスウェイを搭載することは、
前記通路空間の長さを通してずらされた構成で延びるように前記少なくとも２つの主要電力バスウェイを搭載することを含み、ずらされた構成で延びる前記少なくとも２つの主要電力バスウェイの少なくとも１つが、前記通路空間の全長よりも短く延び、且つ、他の前記少なくとも２つの主要電力バスウェイの少なくとも１つのない前記通路空間の特定の領域を通して延びる、節１５に記載の方法。
【００９９】
１７．前記通路空間の長さを通るずらされた構成で延びるように前記少なくとも２つの主要電力バスウェイを搭載することが、前記通路空間の共通領域を通して少なくとも部分的に延びるように前記少なくとも２つの主要電力バスウェイを搭載することを含み、
１つまたは複数の電力ケーブルを介して前記１つまたは複数の電気的負荷に対し前記複数の電力バスウェイの１つまたは複数を電気的に結合することが、前記電気的負荷に対して主要電力サポート冗長性を提供するように、分離した電力ケーブルを介して通路空間の共通領域に配置された電気的負荷に対し前記少なくとも２つの主要電力バスウェイのそれぞれを電気的に結合することを含む、節１６に記載の方法。
【０１００】
１８．前記通路空間の全長を通して延びるように少なくとも１つの第２の電力バスウェイを搭載することが、第２の電源から、特定の１つの前記少なくとも２つの主要電力バスウェイから主要電力を受ける前記通路空間の１つの領域に配置された電気的負荷へと配電し、且つ、前記第２の電源から、他の前記少なくとも２つの主要電力バスウェイの１つから主要電力を受ける前記通路空間の他の領域に配置された他の電気的負荷へとさらに配電するように前記少なくとも１つの第２の電力バスウェイを搭載することを含む、節１６または１７に記載の方法。
【０１０１】
１９．前記第２の電力バスウェイは、前記第２の電力バスウェイが前記複数の分離した第２の電源の少なくとも１つから受けた電力を選択的に配電するように構成されるように、前記第２の電力バスウェイに対する分離した電力入力を介して複数の分離した第２の電源に対し電気的に結合された、節１８に記載の方法。
【０１０２】
２０．前記校正することが、
前記複数の電力バスウェイを通した配電を維持しつつ前記１つまたは複数の電気的負荷に対して提供される前記電力サポート冗長性を変更することを含み、
前記電力サポート冗長性を変更することが、
前記複数の電力バスウェイの１つまたは複数を前記１つまたは複数の電気的負荷に対して電気的に結合する電力ケーブルを分離することと、
前記電力ケーブルを他の前記複数の電力バスウェイの１つまたは複数を前記１つまたは複数の電気的負荷に対して電気的に結合するように再結合することと、を含み、
前記複数の電力バスウェイの前記１つまたは複数によって前記１つまたは複数の電気的負荷に対して提供される前記電力サポート冗長性が、前記複数の電力バスウェイの他の前記１つまたは複数によって提供される前記電力サポート冗長性とは異なる、節１５から１９のいずれか１節に記載の方法。
【０１０３】
図に示され、本明細書において説明された様々な方法は、方法に係る実施形態の例を示す。その方法は、ソフトウェア、ハードウェア、またはこれらの組み合わせで実行されても良い。方法の順序は変更されても良く、様々な要素が付加され、並べ換え、結合され、除外され、変形等されても良い。
【０１０４】
上述の実施形態はかなり詳細に説明されてきたが、上述の開示が完全に理解されると、多くの実施例及び変形が当業者に明らかとなる。以下の特許請求の範囲は、こうした全ての変形及び変更を包含するように解釈されることを意図する。
【図１】
0006389278.tif 000002
【図２】
0006389278.tif 000003
【図３】
0006389278.tif 000004
【図４】
0006389278.tif 000005
【図５】
0006389278.tif 000006
【図６】
0006389278.tif 000007
【図７】
0006389278.tif 000008